(57)【要約】      （修正有）【課題】破れた障子穴をインテリア感覚で簡単に修繕し、さらに修繕される障子穴とそれを覆う模様型紙シールをズレることなく容易に貼り合わせることができる障子用修繕シールを提供する。【解決手段】一対の左右対称の模様型紙シールから構成される。また、模様型紙シールと模様型紙シールより一回り小さい形状を有する切り抜き用型紙シールを組合わせた手段とすることもでき、さらに、一対の左右対称の模様型紙シールの表裏に前後模様の絵柄を夫々に印刷した手段を採っている。【選択図】図２
0003133550.tif 000002
【実用新案登録請求の範囲】
【請求項１】
一対の左右対称の模様型紙シールからなる障子用修繕シール。
【請求項２】
前記一対の左右対称の模様型紙シールと該模様型紙シールより一回り小さい形状を有する切り抜き用型紙シールを組合わせたことを特徴とする障子用修繕シール。
【請求項３】
前記一対の左右対称の模様型紙シールの表裏に前後模様の絵柄を夫々に印刷したことを特徴とする請求項１に記載の障子用修繕シール。
【考案の詳細な説明】
【技術分野】
【０００１】
本考案は、破れた障子穴をインテリア感覚で簡単に修繕し、さらに修繕される障子穴とそれを覆う模様型紙シールをズレることなく容易に貼り合わせることができる障子用修繕シールに関する。
【背景技術】
【０００２】
一般家庭での破れた障子穴を簡便的に修繕する従来の手段としては、植物や動物などの絵模様を象った切り紙を破れた障子の穴に糊等で貼るなどの方法で応急処置を施していた。
【０００３】
しかしながら、上記手段においては、植物や動物の模様を象どる切り紙を予め用意しなければならず、応急的に破れた障子穴を修繕するには、時間と手間と道具等を必要としていた。また、修繕された障子穴の外見的要素においては、一般家庭においては問題ないが、営業的に使われる高級料亭、ホテル、旅館等においては、見てくれの美的要素に欠ける問題があった。
【考案の開示】
【考案が解決しようとする課題】
【０００４】
本考案は、上記問題点に鑑み、破れた障子穴をインテリア感覚で簡単に修繕し、さらに修繕される障子穴とそれを覆う模様型紙シールをズレることなく容易に貼り合わせることができる障子用修繕シールの提供を目的とする。
【課題を解決するための手段】
【０００５】
前記目的を達成するため、本考案は、一対の左右対称の模様型紙シールから構成される。
【０００６】
また、本考案は、一対の左右対称の模様型紙シールと該模様型紙シールより一回り小さい形状を有する切り抜き用型紙シールを組合わせる手段を採っている。
【０００７】
さらに、本考案は、前記一対の左右対称の模様型紙シールの表裏に前後模様の絵柄を夫々に印刷した手段を採っている。
【考案の効果】
【０００８】
本考案にかかる障子用修繕シールによれば、手軽に誰でも綺麗に障子穴を修復することができるという優れた効果を発揮する。
【０００９】
また、切り抜き用型紙シールの形状に切り抜く構成を採用する場合には、一対の左右対称の模様型紙シールをズレることなく両面から貼り合わせることができるという効果も奏する。
【００１０】
さらに、破れた部分を切り取る態様で使用する場合には、日差しによって穴部分が透けて見えても美観を損ねることがないという優れた美的効果も有する。
【００１１】
さらにまた、本考案にかかる障子用修繕シールによれば、高級料亭、ホテル、旅館において色彩や絵柄に限定されることがないため、使用される和室の雰囲気に合った障子用修繕シールを選定することができる。
【００１２】
そしてまた、本考案にかかる障子用修繕シールによれば、四季折々あるいは風景や動物等の種々の図柄を一対とすることで、インテリア感覚および遊び心を持った趣のある障子用修繕シールの提供ができるものである。
【考案を実施するための最良の形態】
【００１３】
本考案にかかる障子用修繕シールは、一対の左右対称の模様型紙シールから構成され、これらを障子の両面から貼り合わせることを最大の特徴とする。以下、本発明にかかる障子用修繕シールの実施形態を図面に基づいて説明する。
【００１４】
図１は、本発明にかかる障子用修繕シール１を示す全体図である。
【００１５】
障子用修繕シール１は、一対の左右対称の模様型紙シール２の表側部２a と裏側部２b とを組合わせた粘着層と剥離層を備えるシールで構成される。また、一対の左右対称の模様型紙シールと該模様型紙シールより一回り小さい形状を有する切り抜き用型紙シールを組合わせた構成を採用する場合には、図に示すように、より一回り小さい形状を有する切り抜き用型紙シール３とを組合わせた構成となる。
【００１６】
模様型紙シール２は、図面に示すような模様・形状に限定されるものではなく、花・動物・幾何学模様など多種多様な模様・形状・大きさとすることができる。
【００１７】
切り抜き用型紙シール３は、模様型紙シール２より一回り小さい形状を有する無地のシールで破れた障子穴に貼られ、その外形形状に沿ってカッターナイフＣで破れた障子穴Ｓとともに切り取られる。基本的には、模様型紙シール２より一回り小さい形状を有するが、細かい部分や細い部分は省略される場合もある。
【００１８】
図２は、本発明にかかる障子用修繕シール１の実施形態を示す説明図である。
【００１９】
まず、本発明にかかる障子用修繕シール１から表側部2 a又は裏側部2 bの一方の模様型紙シール２を剥し、破れた障子穴Ｓを塞ぐように貼り付ける。次いで、表側部2 a又は裏側部2 bの他方の模様型紙シール２を反対面から貼り付ける。なお、かかる作業は、ハサミやカッター等の裁断・糊付けなどの作業が不要になることはいうまでもない。
【００２０】
図３は、本発明にかかる障子用修繕シール１の他の実施形態を示す説明図である。
【００２１】
一対の左右対称の模様型紙シールと該模様型紙シールより一回り小さい形状を有する切り抜き用型紙シールを組合わせた構成を採用する。破れた障子穴Ｓは、切り抜き用型紙シール３とともにカッターナイフＣ等で切り取られ、その切り取られた障子穴Ｈを基準として模様型紙シール２が障子の表側部2 a、裏側部2 bの両面から貼り付ける。以下、より具体的な修繕手順を図４（ａ）から（ｅ）の順に説明する。
【００２２】
図４は、本発明にかかる障子用修繕シール１の他の実施形態の作業手順を示す説明図である。
【００２３】
（ａ）破れた障子穴Ｓの大きさに合った障子用修繕シール１を選択し、切り抜き用型紙シール３を破れた障子穴Ｓに合わせて貼り付ける。
（ｂ）切り抜き用型紙シール３の外形形状に沿ってカッターナイフＣを切り入れる。
（ｃ）切り抜き用型紙シール３の外形形状に沿って切り取られた破れた障子穴Ｓが、切り抜き用型紙シール３とともに取り除かれる。
（ｄ）一対の左右対称の模様型紙シール２を切り取られた障子穴Ｈの位置を基準にして表側部2 a、裏側部２ｂの両面から貼り合わせる。
（ｅ）模様型紙シール２が障子の両側から貼り合わされて完成。
【図面の簡単な説明】
【００２４】
【図１】本発明にかかる障子用修繕シールを示す全体図である。
【図２】本発明にかかる障子用修繕シールの実施形態を示す説明図である。
【図３】本発明にかかる障子用修繕シールの実施形態を示す説明図である。
【図４】本発明にかかる障子用修繕シールの実施形態の作業手順を示す説明図である。
【符号の説明】
【００２５】
１    障子用修繕シール
２    模様型紙シール
２ａ  表側部
２ｂ  裏側部
３    切り抜き用型紙シール
Ｃ    カッターナイフ
Ｓ    破れた障子穴
Ｈ    切り取られた障子穴
【図１】
0003133550.tif 000003
【図２】
0003133550.tif 000004
【図３】
0003133550.tif 000005
【図４】
0003133550.tif 000006
【手続補正書】
【提出日】平成19年4月6日(2007.4.6)
【手続補正１】
【補正対象書類名】実用新案登録請求の範囲
【補正対象項目名】請求項２
【補正方法】変更
【補正の内容】
【請求項２】
一対の左右対称の模様型紙シールと、該模様型紙シールより一回り小さい形状を有する切り抜き用型紙シールと、を組合わせたことを特徴とする障子用修繕シール。
【手続補正２】
【補正対象書類名】実用新案登録請求の範囲
【補正対象項目名】請求項３
【補正方法】削除
【補正の内容】
【手続補正書】
【提出日】平成19年5月30日(2007.5.30)
【手続補正１】
【補正対象書類名】手続補正書
【補正対象項目名】手続補正２
【補正方法】変更
【補正の内容】
【手続補正２】
【補正対象書類名】実用新案登録請求の範囲
【補正対象項目名】全文
【補正方法】変更
【補正の内容】
【実用新案登録請求の範囲】
【請求項１】
一対の左右対称の模様型紙シールからなる障子用修繕シール。
【請求項２】
一対の左右対称の模様型紙シールと、該模様型紙シールより一回り小さい形状を有する切り抜き用型紙シールと、を組合わせたことを特徴とする障子用修繕シール。